【手続補正書】
【提出日】令和2年9月17日(2020.9.17)
【手続補正１】
【補正対象書類名】特許請求の範囲
【補正対象項目名】全文
【補正方法】変更
【補正の内容】
【特許請求の範囲】
【請求項１】
第１の波長帯域の電磁波の透過率が、前記第１の波長帯域以外の電磁波の透過率よりも大きい第１の透過部と、
第２の波長帯域の電磁波の透過率が、前記第２の波長帯域以外の電磁波の透過率よりも大きい第２の透過部と、
前記第１の透過部および前記第２の透過部を介して進行した電磁波を検出する第１の検出部と、を備え、
前記第１の波長帯域と前記第２の波長帯域とは、一部が重複する、電磁波検出装置。
【請求項２】
前記第１の波長帯域と前記第２の波長帯域とが重複する波長帯域と、前記第１の検出部が検出する電磁波の波長帯域とは、少なくとも一部が重複する、請求項１に記載の電磁波検出装置。
【請求項３】
前記第１の波長帯域と前記第２の波長帯域とが重複する波長帯域は、前記第１の検出部が検出する電磁波の波長帯域を全て含む、請求項１または２に記載の電磁波検出装置。
【請求項４】
前記第１の波長帯域と前記第２の波長帯域とが重複する波長帯域は、前記第１の検出部が検出する電磁波の波長帯域と一致する、請求項１から３のいずれか一項に記載の電磁波検出装置。
【請求項５】
前記第１の検出部は、前記第１の透過部および前記第２の透過部をこの順に透過した電磁波を検出する、請求項１から４のいずれか一項に記載の電磁波検出装置。
【請求項６】
前記第１の透過部は、前記第１の波長帯域以外の電磁波を反射し、
前記第１の検出部は、前記第１の透過部で反射された後、前記第２の透過部を透過した電磁波を検出する、請求項１から４のいずれか一項に記載の電磁波検出装置。
【請求項７】
前記第１の波長帯域以外の電磁波の透過率が前記第１の透過部よりも小さい、および、前記第２の波長帯域以外の電磁波の透過率が前記第２の透過部よりも小さい、第３の透過部をさらに備え、
前記第３の透過部は、前記第１の透過部および前記第２の透過部を透過した電磁波を透過させ、
前記第１の検出部は、前記第３の透過部を透過した電磁波を検出する、請求項１から６のいずれか一項に記載の電磁波検出装置。
【請求項８】
前記第１の波長帯域以外の電磁波の透過率が前記第１の透過部よりも小さい、または、前記第２の波長帯域以外の電磁波の透過率が前記第２の透過部よりも小さい、第３の透過部をさらに備え、
前記第３の透過部は、前記第１の透過部および前記第２の透過部を透過した電磁波を透過させ、
前記第１の検出部は、前記第３の透過部を透過した電磁波を検出する、請求項１から６のいずれか一項に記載の電磁波検出装置。
【請求項９】
前記第３の透過部は、ＩＲカットフィルタまたは可視光カットフィルタを含む、請求項７または８に記載の電磁波検出装置。
【請求項１０】
前記第１の検出部は、放射部から対象に向けて放射された電磁波の前記対象からの反射波を検出するアクティブセンサまたはパッシブセンサを含む、請求項１から９のいずれか一項に記載の電磁波検出装置。
【請求項１１】
前記第１の波長帯域と前記第２の波長帯域とが重複する波長帯域と、前記放射部が放射する電磁波の波長帯域とは、少なくとも一部が重複する、請求項１０に記載の電磁波検出装置。
【請求項１２】
基準面に沿って複数の画素が配置され、前記第１の透過部を介して進行して前記基準面に入射した電磁波を前記画素ごとに特定の方向へ進行させる第１の進行部をさらに備え、
前記第１の検出部は、前記特定の方向へ進行した電磁波を検出する、請求項１から１１のいずれか一項に記載の電磁波検出装置。
【請求項１３】
前記第１の透過部を介して進行した電磁波を前記基準面へ射出し、前記基準面から前記特定の方向へ進行した電磁波が再入射する第１の射出面と、
前記再入射した電磁波を射出する第２の射出面とを備え、
前記第１の検出部は、前記第２の射出面から射出された電磁波を検出する、請求項１２に記載の電磁波検出装置。
【請求項１４】
前記第２の透過部は、前記第１の射出面と前記第１の進行部との間、または、前記第２の射出面と前記第１の検出部との間に配置されている、請求項１３に記載の電磁波検出装置。
【請求項１５】
前記第１の進行部は、前記基準面に入射した電磁波を前記特定の方向へ反射する第１の反射状態と、前記特定の方向とは異なる方向へ反射する第２の反射状態とを、前記画素ごと切り替える、請求項１２から１４のいずれか一項に記載の電磁波検出装置。
【請求項１６】
前記第１の透過部は、前記第１の波長帯域以外の電磁波の反射率が、前記第１の波長帯域の電磁波の反射率よりも高い、請求項１から１５のいずれか一項に記載の電磁波検出装置。
【請求項１７】
前記第１の透過部により反射された電磁波を検出する第２の検出部をさらに備える、請求項１６に記載の電磁波検出装置。
【請求項１８】
前記第１の波長帯域以外の電磁波の透過率が、前記第１の透過部の反射率よりも大きい第４の透過部をさらに備え、
前記第４の透過部は、前記第１の透過部により反射された電磁波を透過させ、
前記第２の検出部は、前記第４の透過部を透過した電磁波を検出する、請求項１７に記載の電磁波検出装置。
【請求項１９】
前記第４の透過部は、ＩＲカットフィルタまたは可視光カットフィルタを含む、請求項３に記載の電磁波検出装置。
【請求項２０】
第３の波長帯域の電磁波の透過率が、前記第３の波長帯域以外の電磁波の透過率よりも大きい第５の透過部をさらに備え、
前記第１の透過部により反射された電磁波の波長帯域と前記第３の波長帯域とは、一部が重複し、
前記第２の検出部は、前記第１の透過部により反射された後、前記第５の透過部を透過した電磁波を検出する、請求項１８または１９に記載の電磁波検出装置。
【請求項２１】
前記第２の検出部が検出する電磁波の波長帯域と、前記第１の透過部により反射された電磁波の波長帯域と、前記第３の波長帯域とは、少なくとも一部が重複する、請求項２０に記載の電磁波検出装置。
【請求項２２】
前記第１の波長帯域の電磁波の透過率が、前記第１の透過部の反射率よりも小さい、および、前記第３の波長帯域以外の電磁波の透過率が、前記第５の透過部の透過率よりも小さい、第６の透過部をさらに備え、
前記第６の透過部は、前記第１の透過部により反射された後、前記第５の透過部を透過した電磁波を透過させ、
前記第２の検出部は、前記第６の透過部を透過した電磁波を検出する、請求項２０又は２１に記載の電磁波検出装置。
【請求項２３】
前記第１の波長帯域以外の電磁波の透過率が、前記第１の透過部の反射率よりも小さい、または、前記第３の波長帯域以外の電磁波の透過率が、前記第５の透過部の透過率よりも小さい、第６の透過部をさらに備え、
前記第６の透過部は、前記透過部により反射された後、前記第５の透過部を透過した電磁波を透過させ、
前記第２の検出部は、前記第６の透過部を透過した電磁波を検出する、請求項２０又は２１に記載の電磁波検出装置。
【請求項２４】
電磁波を対象へ放射する放射部と、
前記放射部が放射した電磁波が前記対象で反射した反射波を含む電磁波を前記第１の透過部へ入射させる第１の結像部と、
可視光を検出して画像情報を生成する第２の検出部と、
前記第１の検出部による前記反射波の検出結果に基づき前記対象までの距離を測定する制御部と、
を有し、
第１の透過部は、入射する電磁波のうち、第1のカットオフ周波数より長波長側の電磁波を透過させることで、少なくとも第１の波長帯域の電磁波を前記第２の透過部へ進行させ、且つ少なくとも第１の波長帯域以外の電磁波を前記第２の検出部へ進行させるロングパスフィルタであり、
第２の透過部は、入射する電磁波のうち、前記第１のカットオフ周波数より長波長の第２のカットオフ周波数より短波長側の電磁波を透過させるショートパスフィルタであり、
前記第１の検出部は、前記第２の透過部が透過させた電磁波を検出するよう配置され、
前記放射部は、前記第１のカットオフ周波数と前記第２のカットオフ周波数との間の波長の電磁波を放射する、
請求項１に記載の電磁波検出装置。
【請求項２５】
前記放射部から放射される前記電磁波で前記対象を走査する走査部を有し、
前記制御部は、前記走査部による前記電磁波の放射方向に基づき、前記電磁波の照射位置を取得し、前記照射位置までの距離を取得する、
請求項２４に記載の電磁波検出装置。
【請求項２６】
基準面に複数の画素が配置され、前記第２の透過部から前記基準面に向けて入射する電磁波を、前記第１の検出部へ進行させる第１の状態と、前記第１の検出部へ進行させない第２の状態とを、前記画素ごとに切替える進行部を有し、
前記進行部は、複数の前記画素の各々を前記第１の状態又は前記第２の状態に切り替えて、前記反射波を前記第１の検出部へ進行させる、
請求項２５に記載の電磁波検出装置。
【手続補正２】
【補正対象書類名】明細書
【補正対象項目名】発明の名称
【補正方法】変更
【補正の内容】
【発明の名称】電磁波検出装置